(57)【要約】【課題】作業者の覗き込み作業を不要にし、トランクトリムの取付作業を容易にする。【解決手段】本発明は、トランクトリムの車両前方側を構成するトランクフロントトリム１０と、トランクトリムの車幅方向両側を構成する一対のトランクサイドトリム２０と、両トランクサイドトリム２０の上方に配置されたアッパパネルＵとを備えたトランクトリムの取付構造であって、トランクサイドトリム２０の上部に設けられた鉤形状の係止部３２Ｂと、アッパパネルＵにおいて係止部３２Ｂと対応する位置に設けられ、係止部３２Ｂと係止することにより両トランクサイドトリム２０をアッパパネルＵに仮止めした後、両トランクサイドトリム２０間にトランクフロントトリム１０を配置することにより係止部３２Ｂとの係止状態が保持される係止縁部Ｈ１とを備えた構成としたところに特徴を有する。【選択図】図６
2010149779.tif 000002
【特許請求の範囲】
【請求項１】
トランクトリムの車両前方側を構成するトランクフロントトリムと、前記トランクトリムの車幅方向両側を構成する一対のトランクサイドトリムと、前記両トランクサイドトリムの上方に配置されたボディパネルとを備えたトランクトリムの取付構造であって、
前記トランクサイドトリムの上部に設けられた鉤形状の係止部と、
前記ボディパネルにおいて前記係止部と対応する位置に設けられ、前記係止部と係止することにより前記両トランクサイドトリムを前記ボディパネルに仮止めした後、前記両トランクサイドトリム間に前記トランクフロントトリムを配置することにより前記係止部との係止状態が保持される係止縁部とを備えたトランクトリムの取付構造。
【請求項２】
前記係止部は、前記トランクフロントトリムから離間する方向に突出する爪部を有し、前記ボディパネルには、前記爪部を挿通可能とする挿通孔が設けられ、前記係止縁部は、前記挿通孔を構成する開口縁部の一部である請求項１に記載のトランクトリムの取付構造。
【請求項３】
トランクトリムの車両前方側を構成するトランクフロントトリムと、前記トランクトリムの車幅方向両側を構成する一対のトランクサイドトリムとを備えたトランクトリムを、前記両トランクサイドトリムの上方に配置されたボディパネルに取り付けるトランクトリムの取付方法であって、
前記トランクサイドトリムの上部に係止部が設けられ、
前記ボディパネルにおいて前記係止部と対応する位置に係止縁部が設けられ、
前記係止部を前記係止縁部に係止させることにより前記両トランクサイドトリムを前記ボディパネルに仮止めし、次に、前記両トランクサイドトリム間に前記トランクフロントトリムを配置することにより前記係止部を前記係止縁部に係止させた状態に保持するトランクトリムの取付方法。
【発明の詳細な説明】
【技術分野】
【０００１】
本発明は、トランクトリムの取付構造およびその取付方法に関する。
【背景技術】
【０００２】
従来、トランクトリムの取付構造として、例えば下記特許文献１に記載のものが知られている。このものは、ボディパネル側にガイド付きレールと取付孔とを設け、トランクトリム側にトリム上部クリップと前面部用クリップとを設けたものである。トリム上部クリップをガイド付きレールに差し込むと、前面部用クリップが取付孔に嵌合し、トランクトリムをボディパネルに取り付けることができるようになっている。
【０００３】
また、下記特許文献２に記載のものは、まず、クリップのパネル係合部をボディパネルのクリップ差込用開口に差し込んで仮止めしておき、クリップを押し込んでパネル係合部をクリップ抜止用開口に係合させることにより、トランクトリムをボディパネルに取り付けることができるようになっている。
【０００４】
また、下記特許文献３に記載のものは、トランクトリム側に係合爪と挿通部とを設け、ボディパネル側にブラケット部を設けたものである。また、ブラケット部において挿通部と対応する位置には、取付穴が設けられている。係合爪をブラケット部に対して上方から差し込むことにより、トランクトリムをボディパネルに仮止めし、同軸上に配置された挿通部と取付穴とにクリップを差し込んで固定することによりトランクトリムをボディパネルに取り付けることができる。
【特許文献１】特開平９−１５０６８１号公報
【特許文献２】特開平１１−２１７０５０号公報
【特許文献３】特開平７−５２７２２号公報
【発明の開示】
【発明が解決しようとする課題】
【０００５】
しかしながら、上記のものはいずれも、クリップの外形に対してクリップが差し込まれる差込口の開口径がほぼ同じとなるように設定されており、クリップを差込口に差し込む作業者に覗き込み作業を強いるなど、極めて困難な作業となっている。例えば、特許文献１では、トリム上部クリップをガイド付きレールに差し込む必要があり、特許文献２では、パネル係合部をクリップ差込用開口に差し込む必要があり、特許文献３では、係合爪をブラケット部に対して上方から差し込む必要がある。
【０００６】
しかも、差込口は作業者から見て陰となる位置に配置されていることが多く、差込口にクリップを差し込む作業をさらに困難なものとしている。かといって、クリップの外形に対して差込口の開口径を大きく設定しすぎると、クリップが外れやすくなったり、がたつきが出やすくなったりするため、安易に大きく設定することはできない。
【０００７】
本発明は上記のような事情に基づいて完成されたものであって、作業者の覗き込み作業を不要にし、トランクトリムの取付作業を容易にすることを目的とする。
【課題を解決するための手段】
【０００８】
本発明は、トランクトリムの車両前方側を構成するトランクフロントトリムと、トランクトリムの車幅方向両側を構成する一対のトランクサイドトリムと、両トランクサイドトリムの上方に配置されたボディパネルとを備えたトランクトリムの取付構造であって、トランクサイドトリムの上部に設けられた鉤形状の係止部と、ボディパネルにおいて係止部と対応する位置に設けられ、係止部と係止することにより両トランクサイドトリムをボディパネルに仮止めした後、両トランクサイドトリム間にトランクフロントトリムを配置することにより係止部との係止状態が保持される係止縁部とを備えた構成としたところに特徴を有する。
【０００９】
このような構成によると、まず、係止部を係止縁部に係止させることにより両トランクサイドトリムを仮止めし、次に、両トランクサイドトリム間にトランクフロントトリムを配置することにより係止部と係止縁部とを係止状態に保持することができる。つまり、係止部は鉤形状をなしており、係止縁部に対して引っ掛けるだけでよいから、仮止め作業が極めて容易になる。このことは換言すると、仮止め状態では両トランクサイドトリムがボディパネルから容易に外れてしまうことを意味している。そこで本発明では、トランクフロントトリムを利用して両トランクサイドトリムの外れ止めを行っている。このように、作業者の覗き込み作業を不要にし、トランクトリムの取付作業を容易にすることができる。
【００１０】
本発明の実施の態様として、以下の構成が好ましい。
係止部は、トランクフロントトリムから離間する方向に突出する爪部を有し、ボディパネルには、爪部を挿通可能とする挿通孔が設けられ、係止縁部は、挿通孔を構成する開口縁部の一部としてもよい。
このような構成によると、ボディパネルの挿通孔が爪部を挿通可能な程度に大きく設定されているから、挿通孔に爪部を容易に差し込むことができ、爪部を挿通孔の開口縁部に引っ掛けることにより係止部と係止縁部とを係止させることができる。
【００１１】
また、本発明は、トランクトリムの車両前方側を構成するトランクフロントトリムと、トランクトリムの車幅方向両側を構成する一対のトランクサイドトリムとを備えたトランクトリムを、両トランクサイドトリムの上方に配置されたボディパネルに取り付けるトランクトリムの取付方法であって、トランクサイドトリムの上部に係止部が設けられ、ボディパネルにおいて係止部と対応する位置に係止縁部が設けられ、係止部を係止縁部に係止させることにより両トランクサイドトリムをボディパネルに仮止めし、次に、両トランクサイドトリム間にトランクフロントトリムを配置することにより係止部を係止縁部に係止させた状態に保持してもよい。
【発明の効果】
【００１２】
本発明によれば、作業者の覗き込み作業を不要にし、トランクトリムの取付作業を容易にすることができる。
【発明を実施するための最良の形態】
【００１３】
＜実施形態１＞
本発明の実施形態１を図１ないし図６の図面を参照しながら説明する。本実施形態におけるトランクトリムは、自動車のトランクルーム内に取り付けられる。特に本実施形態のトランクトリムは、セダンやサルーンという呼び名で呼ばれる３ボックスタイプの自動車に使用されるものである。トランクルームの後部には後部開口が設けられている。このためトランクルームは、後部開口からリアシート（図示せず）のシートバック（図示せず）に向けて凹んだ形状をなしている。
【００１４】
トランクルームにおいてトランクトリムの裏側には、ボディパネルが配設されている。このボディパネルは、トランクルームの後部開口を開閉可能なトランクパネル（図示せず）、トランクパネルの車両前方側でかつトランクルームの天井面側に配置されたアッパパネルＵ、トランクルームの車幅方向両側に配置されたサイドパネル（図示せず）などによって構成されている。
【００１５】
図１は、トランクトリムの要部を示した分解斜視図である。このトランクトリムは、トランクトリムの車両前方側を構成するトランクフロントトリム１０と、トランクトリムの車幅方向両側を構成する一対のトランクサイドトリム２０，２０とを備えて構成されている。なお、以下の説明においては、車両前方側を前方側といい、車両後方側を後方側といい、車幅方向を幅方向というものとする。
【００１６】
トランクフロントトリム１０は略Ｕ字形をなし、トランクトリムの前面を構成するフロントトリム１１と、フロントトリム１１の上縁から後方に延びてトランクトリムの天井面を構成するアッパトリム１２と、フロントトリム１１の下縁から後方に延びてトランクトリムの底面を構成するロアトリム１３とから構成されている。アッパトリム１２は、アッパパネルＵと対応して配置されているため、後部開口の前後寸法分だけロアトリム１３よりも前後方向に短めとされている。また、アッパトリム１２は、ロアトリム１３とほぼ対向状態で配置されている。アッパトリム１２の幅方向両側縁部には、同側縁部から一旦下方に下がった後に側方へ張り出す保持壁１４が設定されている。
【００１７】
トランクサイドトリム２０は、幅方向に対向状態で一対配置されている。トランクサイドトリム２０の略前半部は、トランクルーム内に膨出した膨出部２１とされている。膨出部２１の裏面側には、トランクパネル（図示せず）を支持するアーム（図示せず）が収容可能とされている。膨出部２１は、ツリークリップ（図示せず）によってサイドパネル（図示せず）に固定されるとともに、後述する樹脂部品３０によってアッパパネルＵに対しても固定されるようになっている。
【００１８】
一方、膨出部２１の後方には、膨出部２１と比較して相対的に凹んだ凹部２２が形成されている。凹部２２の周縁には、外周壁２３が突出して設けられている。外周壁２３の突出端には、複数の取付部が外側に張り出し形成されている。これらの取付部には、それぞれ取付孔２４が貫通形成されている。これらの取付孔２４にはツリークリップ（図示せず）が差し込まれ、このツリークリップはサイドパネル（図示せず）に形成された固定孔（図示せず）に固定される。これにより、トランクサイドトリム２０の凹部２２は、サイドパネルに固定される。
【００１９】
膨出部２１の上縁部には、図２に示すように、樹脂部品３０が装着されている。樹脂部品３０は、膨出部２１に対して２点でリベット止めされている。樹脂部品３０は、膨出部２１の表面に沿って装着される本体部３１と、本体部３１の上部において表面側に突出して設けられた爪部３２と、爪部３２の下面を本体部３１の表面に対して下支えすることにより爪部３２の倒れ防止を行う倒れ防止部３３とを備えて構成されている。
【００２０】
爪部３２は、詳細には、本体部３１の表面から突出する支持部３２Ａと、支持部３２Ａの突出端から上方に立ち上がりつつ本体部３１側に折り返された鉤形状の係止部３２Ｂとからなる。爪部３２は、トランクサイドトリム２０の表面側から裏面側に向かう方向（トランクフロントトリム１０から離間する方向）に突出している。支持部３２Ａの上面には、フェルトＦが貼り付けられている。このフェルトＦは、後述するように、爪部３２とアッパパネルＵとの間で発生する異音を防止するために設けられている。
【００２１】
ところで、アッパパネルＵにおいて係止部３２Ｂと対応する位置には、挿通孔Ｈが設けられている。挿通孔Ｈは、図３に示すように、爪部３２の外形より大きな孔径を有している。このため、図４に示すように、挿通孔Ｈに対して爪部３２を容易に挿通可能とされている。さらに、図５に示すように、挿通孔Ｈに挿通された爪部３２を幅方向外側に移動させることにより、係止部３２Ｂを挿通孔Ｈの開口縁部に引っ掛けることができるようになっている。すなわち、挿通孔Ｈを構成する開口縁部の一部を係止縁部Ｈ１として係止部３２Ｂを係止縁部Ｈ１に対して上下方向に係止させることにより、膨出部２１をアッパパネルＵに対して仮止めすることができる。
【００２２】
この後、トランクフロントトリム１０を組み付け固定すると、図６に示すように、アッパトリム１２は、両膨出部２１間に配置される。この状態では、保持壁１４が倒れ防止部３３もしくは支持部３２Ａに接触しているため、両膨出部２１が幅方向内側へ移動することが規制される。さらに、両係止部３２Ｂも幅方向内側へ移動することが規制されるため、両係止部３２Ｂと両係止縁部Ｈ１とを係止状態に保持でき、爪部３２が挿通孔Ｈから外れることが規制される。このため、両膨出部２１は、アッパパネルＵに対して本止めされる。したがって、両トランクサイドトリム２０は、樹脂部品３０およびツリークリップなどによってボディパネルに固定される。
【００２３】
次に、トランクトリムの取付方法について図３ないし図６を参照しながら説明する。まず、図３に示すように、爪部３２が挿通孔Ｈの下方となるように、一方のトランクサイドトリム２０を配置する。ここから、一方のトランクサイドトリム２０を上方に持ち上げ、図４に示すように、爪部３２を挿通孔Ｈに挿通させる。このとき、挿通孔Ｈの孔径は、爪部３２の外形より大きめに設定されているから、爪部３２を挿通孔Ｈに差し込む際に作業者が覗き込み作業を行わなくても容易に差し込むことができるようになっている。したがって、作業時間の短縮になる。
【００２４】
引き続き、一方のトランクサイドトリム２０を幅方向外側に移動させ、図５に示すように、爪部３２の係止部３２Ｂと挿通孔Ｈの係止縁部Ｈ１とを上下方向に係止させる。これにより、一方のトランクサイドトリム２０は、アッパパネルＵに対してぶら下がった状態で仮止めされる。次に、取付孔２４にツリークリップを挿通し、サイドパネルの固定孔に差し込むことにより凹部２２を順次固定していく。凹部２２の固定が完了したら、膨出部２１も同様にツリークリップによって固定する。この後、他方のトランクサイドトリム２０についてもサイドパネルに固定するものの、一方のトランクサイドトリム２０の組付方法と同じであるため、その説明については省略する。
【００２５】
図５の状態では、複数のツリークリップによってトランクサイドトリム２０がサイドパネルに固定されているため、トランクサイドトリム２０がサイドパネルから外れることはないものの、係止部３２Ｂが係止縁部Ｈ１に対して完全に固定されていないので、膨出部２１の上縁部は幅方向内側に開き可能な状態である。
【００２６】
そこで、トランクフロントトリム１０をアッパパネルＵに組み付け固定すると、図６に示すように、アッパトリム１２が両膨出部２１間に配置され、両保持壁１４が両樹脂部品３０に対して幅方向内側から接触し、両膨出部２１の上縁部がアッパパネルＵに対して完全に固定され、幅方向内側への開きが規制される。さらに、係止部３２Ｂと係止縁部Ｈ１との間にフェルトＦが挟持されているため、爪部３２とアッパパネルＵとの間における異音やがたつきが規制される。このように、トランクフロントトリム１０をボディパネルに組み付け固定することに伴って、両トランクサイドトリム２０がボディパネルに固定される。
【００２７】
以上のように本実施形態では、爪部３２に対して挿通孔Ｈを大きめに形成したから、爪部３２を挿通孔Ｈに差し込む際に作業者が覗き込みをしなくてもよく、トランクフロントトリム１０をボディパネルに組み付けることによって両トランクサイドトリム２０をボディパネルに固定することができる。よって、トランクトリムの組付作業を容易にすることができ、作業時間を短縮することができる。
【００２８】
＜他の実施形態＞
本発明は上記記述及び図面によって説明した実施形態に限定されるものではなく、例えば次のような実施形態も本発明の技術的範囲に含まれる。
（１）本実施形態では挿通孔ＨをアッパパネルＵに設けているものの、本発明によると、ボディパネルであれば挿通孔Ｈをどこに設けてもよい。
【００２９】
（２）本実施形態ではフロントトリム１１とアッパトリム１２とロアトリム１３とからなるトランクフロントトリム１０を例示しているものの、本発明によると、トランクフロントトリム１０は、少なくともアッパトリム１２を備えていればよく、ロアトリム１３を備えていなくてもよい。
【００３０】
（３）本実施形態ではトランクサイドトリム２０をボディパネルに仮止めした後、トランクサイドトリム２０をツリークリップによって固定しているものの、本発明によると、両トランクサイドトリム２０をボディパネルに仮止めした後、トランクフロントトリム１０を組み付けて両膨出部２１の上縁部を固定した状態で、トランクサイドトリム２０をツリークリップによって固定してもよい。
【００３１】
（４）本実施形態では挿通孔Ｈの開口縁部の一部を係止縁部Ｈ１としているものの、本発明によると、係止縁部は、係止部３２Ｂを引っ掛け可能であればよく、挿通孔Ｈの開口縁部である必要はない。例えば、サイドパネルから幅方向内側へ張り出す形態で係止縁部を設けてもよい。
【図面の簡単な説明】
【００３２】
【図１】実施形態１におけるトランクトリムの要部を示した分解斜視図
【図２】図１における樹脂部品を拡大して示した斜視図
【図３】爪部を挿通孔に挿入する前におけるトランクサイドトリムを示した断面図
【図４】爪部を挿通孔に挿入した後におけるトランクサイドトリムを示した断面図
【図５】係止部を係止縁部に係止させてトランクサイドトリムを仮止めした状態を示した断面図
【図６】両トランクサイドトリム間にトランクフロントトリムを配置して両トランクサイドトリムを本止めした状態を示した断面図
【符号の説明】
【００３３】
１０…トランクフロントトリム
２０…トランクサイドトリム
３２…爪部
３２Ｂ…係止部
Ｈ…挿通孔
Ｈ１…係止縁部
Ｕ…アッパパネル（ボディパネル）
【図１】
2010149779.tif 000003
【図２】
2010149779.tif 000004
【図３】
2010149779.tif 000005
【図４】
2010149779.tif 000006
【図５】
2010149779.tif 000007
【図６】
2010149779.tif 000008